(57)【特許請求の範囲】
【請求項１】
駆動部と；
基板と、前記基板上に互いに直交するように形成される第１電極及び第２電極と、前記駆動部からの信号を印加するために、前記第１電極及び第２電極のそれぞれに、これらの電極の幅より狭い幅を有し、かつ互いに長さの異なる少なくとも２つの種類の電極ラインが交互に連結される第１電極ライン及び第２電極ラインとを備えたディスプレイパネルと；
前記第１電極ライン及び第２電極ラインと前記駆動部とを電気的に連結するための配線を含む連結部と；
を含み、
前記第１電極ライン及び第２電極ラインと前記配線とをそれぞれ連結するための所定のピッチを有するコネクタを更に含み、
前記第１電極ラインと前記配線とを連結する前記コネクタの幅は、前記第１電極の幅に前記第１電極間の間隔を加えた大きさの幅を有し、前記第２電極ラインと前記配線とを連結する前記コネクタの幅は、前記第２電極の幅に前記第２電極間の間隔を加えた大きさの幅を有することを特徴とする有機ＥＬ表示デバイス。
【請求項２】
駆動部と；
基板と、前記基板上に互いに直交するように形成される第１電極及び第２電極と、前記駆動部からの信号を印加するために、前記第１電極及び第２電極のそれぞれに、これらの電極の幅より狭い幅を有し、かつ互いに長さの異なる少なくとも２つの種類の電極ラインが交互に連結される第１電極ライン及び第２電極ラインとを備えたディスプレイパネルと；
前記第１電極ライン及び第２電極ラインと前記駆動部とを電気的に連結するための配線を含む連結部と；
を含み、
前記第１電極ラインと第２電極ラインは同じ方向を向くように配列され、
さらに、前記第１電極ライン及び第２電極ラインと前記配線とをそれぞれ連結するための所定のピッチを有するコネクタを含み、
前記第１電極ラインと前記配線とを連結する前記コネクタの幅は、前記第１電極の幅に前記第１電極間の間隔を加えた大きさの幅を有し、前記第２電極ラインと前記配線とを連結する前記コネクタの幅は、前記第２電極の幅に前記第２電極間の間隔を加えた大きさの幅を有することを特徴とする有機ＥＬ表示デバイス。
【請求項３】
前記ディスプレイパネルは、
前記第１電極ライン及び前記第２電極ライン上に形成される絶縁膜をさらに含み、前記絶縁膜によって前記電極ラインと前記コネクタが絶縁されることを特徴とする請求項１又は２記載の有機ＥＬ表示デバイス。
【請求項４】
前記ディスプレイパネルは、
前記第２電極に連結された第２電極連結ラインをその先端部でそれぞれ第１電極と並列になる方向に曲げ、第２電極連結ラインと第１電極とのそれぞれの先端部が同一方向を向くようにしたことを特徴とする請求項１又は２記載の有機ＥＬ表示デバイス。
【請求項５】
前記連結部は、
第１電極ライン、第２電極ラインのそれぞれを駆動部へ接続するための配線が配置されたフィルム型デバイスを更に含み、
前記フィルム型デバイスと前記ディスプレイパネルはテープ自動化接着方式により連結されることを特徴とする請求項１又は２記載の有機ＥＬ表示デバイス。
【請求項６】
前記フィルム型デバイスは、
前記第１電極ラインと前記第２電極ラインそれぞれに連結されるとともに、前記配線に連結されたコネクタが位置する前記ディスプレイパネルの所定の領域でタップ（ＴＡＢ）方式で前記ディスプレイパネルに連結されることを特徴とする請求項５記載の有機ＥＬ表示デバイス。
【請求項７】
前記配線のピッチ及び模様はその先端部が前記第１電極ライン及び前記第２電極ラインのピッチと一致することを特徴とする請求項１又は２記載の有機ＥＬ表示デバイス。
【発明の詳細な説明】
【０００１】
【発明の属する技術分野】
本発明は表示デバイスに関し、特にテープ自動化接着（tape automated bonding：ＴＡＢ）方式を用いた有機ＥＬ表示デバイスに関する。
【０００２】
【従来の技術】
図１は従来技術によるフィルム型デバイスが取り付けられた有機ＥＬディスプレイパネルの平面図である。
図１に示すように、有機ＥＬディスプレイパネルは、第１電極２、第２電極４、第２電極連結ライン４−１、隔壁６、有機ＥＬ層３とを備えている。
第１、第２電極はストリップ状に形成された透明電極であって、透明基板１上にＩＴＯを化学的エッチング方法で形成させる。第１電極と第２電極は互いに直交する方向に形成させる。第２電極連結ライン４−１は、第２電極パターンの形成を容易に形成するためののものである。隔壁６は第２電極パターンの間を電気的に分離するパターンの間に形成される。それらが形成された後に、隔壁６上に真空蒸着法により有機ＥＬ層３が形成される。
【０００３】
第１電極２と第２電極４とは互いに直交するように形成されるので、図１に示すように、従来の有機ＥＬディスプレイパネルは、このパネルを駆動する駆動チップ（図示せず）との連結のための配線（５−１）を有するフィルム型デバイス（ＣＯＦ，ＦＰＣ，ＴＣＰなど）からなる連結部５が２つ必要であり、かつパネルの２つの電極との連結のためのそれぞれにＴＡＢ領域を形成する。
即ち、ディスプレイパネルに配線を装着するために必要なＦＰＣ，ＴＣＰ，ＣＯＦなどのフィルム型デバイス５が２つ必要であり、二回のＴＡＢ過程を行う必要がある。
【０００４】
【発明が解決しようとする課題】
しかしながら、図１のように、量産時に二回のＴＡＢ過程を行う場合、２つのＦＰＣ（又はＴＣＰ）コストが原価に含まれるだけでなく、ＴＡＢ過程でかかる費用もまた原価に含まれることから、価格が上昇する。
【０００５】
本発明の目的は、有機ＥＬ表示デバイスの量産時におけるモジュールのコスト競争力向上のためにフィルム型デバイスのＴＡＢ領域一箇所に集中させると共に、それに伴って全体が大きくなるのを避けるようにした表示デバイスを提供することである。
他の目的は、有機ＥＬ表示デバイスのディスプレイパネルで高解像度などに従う電極ラインのピッチが減ることに対応して、ＴＡＢ方式によって電極ラインと連結するフィルム型デバイス（ＣＯＦ、ＦＰＣ、ＴＣＰなど）のアライン時のアライン誤差が大きくても安定的な連結が可能であるようにした有機ＥＬディスプレイパネルを提供することにある。
【０００６】
【課題を解決するための手段】
上記目的を達成するために本発明は駆動部；基板と、基板上に互いに直交する方向に形成させる第１電極及び第２電極と、第１電極及び第２電極のそれぞれに長さの異なる少なくとも２つの種類の電極ラインが交互に配列される第１電極ライン及び第２電極ラインとを備えたディスプレイパネル；及び駆動部と第１電極ライン及び第２電極ラインとを電気的に連結するための配線を含む連結部を含むことを特徴とする。
【０００７】
ディスプレイパネルは、第１電極ライン及び第２電極ラインと配線とをそれぞれ連結するための所定のピッチを有するコネクタを更に含むことが好ましい。
【０００８】
コネクタ間のピッチは第１電極及び第２電極それぞれのピッチより大きいことが好ましい。
【０００９】
ディスプレイパネルは、第１電極ライン及び第２電極ライン上に形成される絶縁膜をさらに含み、絶縁膜によって電極ラインとコネクタが絶縁されることが好ましい。
【００１０】
ディスプレイパネルは、第２電極のそれぞれを第１電極のそれぞれに平行になるように曲げて形成させることが望ましい。
【００１１】
連結部は配線が配置されたフィルム型デバイスを更に含むことが望ましい。フィルム型デバイスとディスプレイパネルはテープ自動化接着（ＴＡＢ）方式により連結される。
【００１２】
フィルム型デバイスは、第１電極ライン、第２電極ラインに連結されるとともに配線に連結されたコネクタとが位置するディスプレイパネルの所定の領域でタップ（ＴＡＢ）方式で連結されることが望ましい。
【００１３】
好ましくは、配線のピッチ及び模様は、第１電極ライン及び第２電極ライン先端部のピッチと同一であることである。
【００１４】
【発明の実施の形態】
以下、本発明による有機ＥＬディスプレイパネルの好ましい実施形態を図面に基づいて説明する。
【００１５】
図２は本発明によるフィルム型デバイスが取り付けられた有機ＥＬディスプレイパネルの平面図である。
図２に示すように、有機ＥＬディスプレイパネルは、透明基板１０と、その透明基板１０上に従来同様多数の第１電極２０と第２電極４０が直交するように配置されており、それらの交差する領域に画素を形成させるように有機発光層３０が設けられている。第２電極４０のパターンの間を電気的に分離するための隔壁６０がそれらのパターンの間に形成されている。これらの形状自体は従来のものと格別異なる点はない。さらに、第２電極にはそのパターンを容易にするための第２電極連結ライン分４０−１が連結されている。本実施形態においては、この第２電極連結ライン４０−１は、図示のように、それぞれほぼ９０゜に曲げられ第１電極２０に平行に第１電極の終端位置と同じ位置までその終端位置が延ばされている。さらに、本実施形態では透明基板１０の一方の縁部、それぞれの電極の終端部が配置されている縁部に沿って第１電極のそれぞれの先端部と連結される多数の第１電極ラインが２０−２ａ，２０−２ｂ形成されるとともに、第２電極連結ライン４０−１の先端部と連結される多数の第２電極ライン４０−２ａ，４０−２ｂが形成されている。これらの電極ラインは長さが交互に異なるように形成されている。
【００１６】
そして、本実施形態のディスプレイパネルはそれぞれの電極ラインの先端部に、第１電極ライン２０−２ａ，２０−２ｂと連結される第１コネクタ２０−１ａ，２０−１ｂと、第２電極ライン４０−２ａ，４０−２ｂと連結される第２コネクタ４０−１ａ，４０−１ｂとが形成されている。
【００１７】
第１電極ライン２０−２ａ，２０−２ｂと第２電極ライン４０−２ａ，４０−２ｂは、透明電極と導電性を高めるための金属物質などの補助電極とで形成させるが、金属電極のみで構成させてもよい。
コネクタ２０−１ａ，２０−１ｂ，４０−２ａ，４０−２ｂは透明電極と金属物質など補助電極と構成させるか、あるいは透明電極のみとする。
【００１８】
第１電極ライン２０−２ａ，２０−２ｂ及び第２電極ライン４０−２ａ，４０−２ｂは共に前述のように基板１０の一方の縁側に形成させ、同じ方向を向くように配列されている。第１電極ライン２０−２ａ，２０−２ｂのピッチと第２電極ライン４０−２ａ，４０−２ｂのピッチとに配線５０−１のピッチを合わせるように形成させることによりフィルム型デバイス５０（ＣＯＦ，ＦＰＣ，ＴＣＰなど）を一回のＴＡＢ方式によってディスプレイパネルに取り付けることができる。このフィルム型デバイス５０は第１電極ラインと第２電極ラインを駆動部に電気的に連結するための連結部を構成している。
【００１９】
デバイス５０（ＦＰＣ，ＴＣＰ，ＣＯＦなど）の配線５０−１のピッチ及び模様は、第１電極ライン２０−２ａ，２０−２ｂ及び第２電極ライン４０−２ａ，４０−２ｂに連結できる形状に形成される。
【００２０】
上述のように一回のＴＡＢ方式により、第１電極ライン２０−２ａ，２０−２ｂ及び第２電極ライン４０−２ａ，４０−２ｂと、デバイス５０の配線５０−１とが連結される。従って、従来のように２度のＴＡＢ過程を行う従来ものに比し製造コストが低減される。配線５０−１は当然のことながら有機ＥＬディスプレイパネルを駆動する駆動部（図示せず）に連結される。
【００２１】
図３は図２の“Ａ”部分を詳細に示す図である。第１、第２電極ラインとデバイス５０の配線をこの図に基づいて詳細に説明する。
図３を参照すると、有機ＥＬディスプレイパネルのＴＡＢ領域Ｂに、長い電極ライン２０−２ｂ；４０−２ｂと短い電極ライン２０−２ａ；４０−２ａとを交互に形成している。この互いに隣接したそれぞれの短い電極ライン２０−２ａ；４０−２ａの間に形成される長い電極ライン２０−２ｂ；４０−２ｂの先端は当然短い電極ラインの位置より下端に位置する。
【００２２】
このように形成すると、パネル領域の長い電極ライン２０−２ｂ；４０−２ｂ間のピッチ“Ｗｐ２”及び短い電極ライン２０−２ａ；４０−２ａ間のピッチ“Ｗｐ２”がともにパネル側の電極間のピッチ“Ｗｐ１”の２倍であることが分かる。したがって、ＴＡＢ領域Ｂで、電極ライン２０−２ａ，２０−２ｂ；４０−２ａ，４０−２ｂそれぞれの端部は、ＴＡＢ過程での連結部の面積を広くすることができコネクタ２０−１ａ，２０−１ｂを広く形成することができる。
【００２３】
電極２０；４０間のピッチは表示装置としての形態から最小値以下に狭く形成するには限界がある。従って、パネルにスキャン電極ライン（第１電極ライン）とデータ電極ライン（第２電極ライン）を連結してパネルを駆動するために、第１電極２０及び第２電極４０とフィルム型デバイス５０の配線５０−１とを直接連結することは許容誤差範囲が小さくなり配線ミスが生じることがある。
【００２４】
しかしながら、互いに異なる長さの電極ライン２０−２ａ，２０−２ｂ；４０−２ａ，４０−２ｂを交互に配置すると、電極ラインと連結されるコネクタ２０−１ａ，２０−１ｂ；４０−１ａ，４０−１ｂの幅をある程度増加させることができるので、少ない誤差範囲のアラインが可能となる。
【００２５】
例えば、従来技術のように直接連結しようとすると、デバイス５０の配線５０−１は第１電極ライン２０−２ａ，２０−２ｂを中心に両側に“ａ”を外れると、第１電極２０と連結が行われない。
しかしながら、本発明の場合にはデバイス５０の配線５０−１のアライン誤差範囲はコネクタ２０−１ａ，２０−１ｂの幅により変り、デバイス５０の配線５０−１が第１電極ライン２０−２ａ，２０−２ｂを中心に“ｂ”を超えなければ第１電極２０と連結が正しく行われる。
【００２６】
ディスプレイパネルのＴＡＢ領域Ｂで、第１電極ライン２０−２ａ，２０−２ｂを長短交互に形成したので、デバイス５０のＴＡＢ過程において、第１電極ライン２０−２ａ，２０−２ｂと配線５０−１との電気的な連結を容易にするために第１コネクタ２０−１ａ，２０−１ｂの幅“２ｂ”は第１，第２電極の幅“２ａ”より大きくする。このときのその増加する量は第１電極２０間の間隔の“ｘ”だけの分量である。
【００２７】
このように“ｘ”だけの幅方向長さが増加すると、デバイス５０のＴＡＢ過程でアライン誤差が大きくなっても確実にＴＡＢ過程を行うことができるので、安定的にＴＡＢを行うことができる。そして、互いに隣接した短い第１電極ライン２０−２ａ相互の間に位置した長い第１電極ライン２０−２ｂ上に絶縁膜７０を形成することで、デバイス５０のＴＡＢ過程において、長い第１電極ライン２０−２ｂと第１コネクタ２０−１ａとの間に絶縁が維持される。もちろん、短い電極ラインの上にも絶縁膜を設けてもよい。
【００２８】
従って、第１電極ライン２０−２ａと連結される第１コネクタ２０−１ａの幅が広く形成されても絶縁膜７０が第１電極ライン２０−２ｂ上に形成されているので、第１電極ライン２０−２ｂとコネクタ２０−１ａとの間の絶縁が維持される。
【００２９】
絶縁膜７０の材料としては無機及び有機絶縁膜共に使用可能であり、無機絶縁膜には酸化系絶縁膜（酸化物類、ＳｉＯ２）と窒化系絶縁膜（窒化物類、ＳｉＮｘ）があり、有機絶縁膜はポリマー（特に、ポリアクリル類、ポリイミド、ノボラック、ポリフェニル、ポリスチレンなど）がある。また、絶縁膜７０の厚さは０．０１〜１０μｍ程度である。
【００３０】
第２電極４０と連結される第２電極ライン（４０−２ａ，４０−２ｂ）及び第２コネクタ（４０−１ａ，４０−１ｂ）の形態も図３とほぼ同一であるので省略する。
上記のような有機ＥＬディスプレイパネルはスキャン電極ライン及びデータ電極ラインとそれぞれ連結され、ディスプレイパネルを駆動するための駆動チップを備えるフィルム型デバイス（ＣＯＦ，ＴＣＰ，ＦＰＣ）を備えたディスプレイ装置に用いられる。
【００３１】
ＣＯＦ，ＴＣＰ，ＦＰＣのようなフィルム型デバイスを備えた本ディスプレイ装置は、透明基板上に互いに異なる長さで交互に形成されて第１電極と連結される第１電極ラインと、互いに異なる長さで交互に形成されて第２電極と連結される第２電極ラインとを備えたディスプレイパネルと、ディスプレイパネルが位置する連結部分とチップが位置するチップ部分とを有するＣＯＦと、ディスプレイパネルの第１及び第２電極ラインからＣＯＦと連結される多数のデータ電極ライン及びスキャン電極ラインと、連結部分に形成され、スキャン電極ライン及びデータ電極ラインをそれぞれＣＯＦと電気的に連結する複数の連結ラインとから構成されている。
上記実施形態における電極ラインの長短の交互配置及びコネクタの配置は、従来の連結部が直交する方向に二つ設けられたデバイスにも利用できるのはいうまでもない。
【００３２】
【発明の効果】
以上で説明したような本発明による有機ＥＬディスプレイパネルは次のような効果がある。
【００３３】
本発明表示デバイスは互いに直交する電極の一方を他方の方向に曲げてそれぞれの電極が並ぶようにしたので、ＴＡＢ過程は一度でいいので、コストを低下させることができる。
【００３４】
有機ＥＬディスプレイパネルで高解像度の要求などによる電極ラインのピッチが減ることに対応して、ＴＡＢ領域の電極ラインを互いに異なる長さで繰り返して形成することで連結部の幅を増加させることができるようになり、ＴＡＢにより電極ラインと連結されるフォルム型デバイスとアライン時にアライン誤差が大きくても安定的に連結させることができるので、パネルの信頼性且つ量産性を高めることができる。
【００３５】
パネルの電極ライン及び電極ラインと連結するためのフィルム型デバイスの配線のピッチが小さいことから発生するアラインの問題点を解決して、量産時にパネルのＴＡＢをできるだけ小さく形成してモジュールのコスト競争力を高めることができる。
【図面の簡単な説明】
【図１】従来技術によるフィルム型デバイスが取り付けられた有機ＥＬディスプレイパネルの平面図。
【図２】本発明によるフィルム型デバイスが取り付けられた有機ＥＬディスプレイパネルの平面図。
【図３】図２の“Ａ“部分の詳細図。
【符号の説明】
１０：透明基板
２０：第１電極
３０：有機発光層
４０：第２電極
４０−１：第２電極の連結部分
６０：隔壁
２０−２ａ，２０−２ｂ：第１電極ライン
４０−２ａ，４０−２ｂ：第２電極ライン
２０−１ａ，２０−１ｂ：第１コネクタ
４０−１ａ，４０−１ｂ：第２コネクタ
５０：フィルム型デバイス
５０−１：配線
【図１】
0003806070.tif 000002
【図２】
0003806070.tif 000003
【図３】
0003806070.tif 000004